(57)【要約】  特許請求の範囲の主題は、コンテキスト関連情報を受信し、ユーザーに対して表示するための方法を提供する。方法が、自動的に更新されたコンテキスト関連情報をディスプレイデバイスで受信するステップを含む。コンテキスト関連情報が、少なくとも一部ユーザーに関連する情報を含む。次いで、ディスプレイデバイスが、ユーザーに対してコンテキスト関連情報を目立たずに表示する。
2016511859.tif 000002
【特許請求の範囲】
【請求項１】
コンテキスト関連情報を受信し、ユーザーに対して表示するための方法であって、
自動的に更新されたコンテキスト関連情報をディスプレイ手段で受信するステップであって、前記コンテキスト関連情報が少なくとも一部ユーザーに関連する情報を含む、受信するステップと、
前記ユーザーに対して前記コンテキスト関連情報を目立たずに表示するステップとを含む方法。
【請求項２】
前記コンテキスト関連情報が、
グランサブルユーザーインターフェース
双安定ディスプレイ手段、または
その任意の組合せを介して表示される、請求項１に記載の方法。
【請求項３】
前記コンテキスト関連情報の種々の項目が、容易に監視可能なアイコンを介して表示される請求項１から２のいずれかの組合せに記載の方法。
【請求項４】
前記コンテキスト関連情報が、現在の時刻、前記ユーザーが従事する活動、前記ユーザーの現在の位置、およびユーザーアカウントに記憶されたデータのうちの少なくとも１つから導き出される、請求項１から３のいずれかの組合せに記載の方法。
【請求項５】
前記コンテキスト関連情報が、
予定したイベントに関係するデータと、
少なくとも一部既定したメッセージの送信を承認するための、前記ユーザーに対する前記少なくとも一部既定したメッセージおよびプロンプトと、
プロンプトのセットであって、前記セットの各プロンプトが、時間超過を減らすために会議中の事前選択した時間に提供される、プロンプトのセットと、
会議に出席するためのリマインダーとを備え、
前記方法が前記会議中に前記ユーザーから雰囲気の指示を受信するステップ、
前記会議で前記受信した雰囲気の指示をプレゼンターに送るステップ、または、
その任意の組合せをさらに備える、請求項４に記載の方法。
【請求項６】
コンテキスト関連情報を受信しユーザーに対して表示するためのディスプレイ手段であって、
前記ディスプレイ手段が、
ディスプレイモジュールと、
処理手段と、
システムメモリとを備え、
前記システムメモリが、
コンテキスト関連情報を受信し、前記コンテキスト関連情報が少なくとも前記ユーザーの位置および前記ユーザーに関連するスケジュールデータから自動的に導き出される情報を含み、
前記コンテキストに関連する情報を前記ディスプレイモジュールに表示させるように、前記処理手段に命令するように構成されたコードを備え、
前記コンテキスト関連情報が、前記ユーザーに対して目立たずに表示される、ディスプレイ手段。
【請求項７】
前記ディスプレイモジュールが、双安定ディスプレイモジュールを含み、前記コンテキスト関連情報が、前記双安定ディスプレイモジュールを介して表示される、請求項６に記載のディスプレイ手段。
【請求項８】
前記コンテキスト関連情報の種々の項目が、容易に監視可能なアイコンを介して表示される、請求項６から７のいずれかの組合せに記載のディスプレイ手段。
【請求項９】
前記コンテキスト関連情報が、現在の時刻、前記ユーザーの現在の位置、およびユーザーアカウントに記憶されたデータのうちの少なくとも１つから導き出される、請求項６から８のいずれかの組合せに記載のディスプレイ手段。
【請求項１０】
前記コンテキスト関連情報が、予定したイベントに関係し、前記コンテキスト関連情報が、
少なくとも一部既定したメッセージの送信を承認するための、前記ユーザーに対する前記少なくとも一部の既定したメッセージおよびプロンプトと、
プロンプトのセットであって、前記セットの各プロンプトが、時間超過を減らすために会議中の事前選択した時間に提供される、プロンプトのセットと、
会議に出席するためのリマインダーとを備え、
前記コードが、前記会議中に前記ユーザーから雰囲気の指示を受信するように、前記処理手段に命令するようにさらに構成された前記システムメモリである、請求項９に記載のディスプレイ手段。
【発明の詳細な説明】
【技術分野】
【０００１】
本発明は、コンテキスト関連情報の目立たない表示に関する。
【背景技術】
【０００２】
[0001]現在のスケジューリングおよび／またはコラボレーションソリューションは、会議を効率的に計画し運営することの種々の複雑さに十分に対処されてない。複雑さのうちいくつかは、例えば、会議場所を見つけること、会議に関する通知を提供すること、および出席者の状態を紹介し提供することなどである。加えて、現在のスケジューリングおよび／またはコラボレーションソリューションは、ノート作成、時間および会場の変更、情報の共有、およびタスクの追跡などの会議の運用の側面を十分に扱ってない。
【０００３】
[0002]いくつかのスケジューリングソリューションは、来たる会議、または、同僚と会うこと、医者のアポイントメント、テレビ番組などの他のイベントのエンドユーザーへの通知を提供するように構成され得る。例えば、スマートフォンなどのモバイル・コンピューティング・デバイス（本明細書では「モバイルデバイス」とも呼ばれる）は、カレンダー情報を取得し、来たるイベントの視覚的および／または可聴の通知を提供するためにカレンダーサービスと通信するように構成され得る。ただし、モバイルデバイスが、ユーザーのポケットまたはハンドバッグ中にある場合、例えば、視覚的な通知が気づかれない。モバイルデバイスが、中断を避けるためにサイレントモードで構成され、または音量を下げていた場合、同様に可聴の通知は、効果がない可能性がある。加えて、特にユーザーが会議および会話に従事しているとき、可聴の通知が、迷惑で耳障りな注意をそらすものとなり得るので、モバイルデバイスは、サイレントモードまたは低音量モードにされていることが多い。さらに、ユーザーが、可聴の通知を静かにするため、および／または対応する視覚的な通知を見るために、ポケット、ハンドバッグ、または他の入れ物から取り出す場合、注意がそれることになる。したがって、これは、ユーザーにとって有用な助けとなる所期のスケジューリングソリューションではなく、少なくともいくつかの点でむしろ注意をそらすものとなる可能性がある。
【０００４】
[0003]さらに、来たるイベントの視覚的な通知は、典型的に、イベント時間、場所、議題などの非常に限定された情報を提供するにすぎない。会議参加者のリストなどの追加情報は、入手可能であり得るが、ユーザーは、典型的に、追加の関連情報を取得するために、種々のメニューオプションを通じて、ナビゲートする必要がある。
【発明の概要】
【発明が解決しようとする課題】
【０００５】
本発明は、このような課題を解決するものである。
【課題を解決するための手段】
【０００６】
[0004]以下に、本明細書で説明するいくつかの態様を基本的に理解してもらうために技術革新の簡単な概要を提示する。この概要は、特許請求の範囲の主題の広範な概観ではない。これは、特許請求の範囲の主題の重要な要素または決定的要素を識別することでも、本主題の技術革新の範囲を詳しく記述するものでもない。その唯一の目的は、後に提示されるより詳細な説明への導入部として、簡単な形式で特許請求の主題のいくつかの概念を提示することである。
【０００７】
[0005]一実施形態が、コンテキスト関連情報（ｃｏｎｔｅｘｔｕａｌｌｙ  ｒｅｌｅｖａｎｔ  ｉｎｆｏｒｍａｔｉｏｎ）を受信し、ユーザーに対して表示するための方法を提供する。方法が、自動的に更新されたコンテキスト関連情報をディスプレイデバイスで受信するステップを含む。コンテキスト関連情報は、少なくとも一部ユーザーに関連する情報を含む。方法は、ユーザーに対してコンテキスト関連情報を目立たずに表示することをさらに含む。
【０００８】
[0006]別の実施形態が、コンテキスト関連情報を受信し、ユーザーに対して表示するためのディスプレイデバイスを提供する。ディスプレイデバイスが、ディスプレイモジュールと、処理ユニットと、システムメモリとを含む。システムメモリが、コンテキスト関連情報を受信し、コンテキスト関連情報をディスプレイモジュールに目立たずに表示させるように、処理ユニットに命令するように構成されたコードを含む。コンテキスト関連情報は、少なくともユーザーの位置およびユーザーに関連するスケジュールデータから自動的に導き出される情報を含む。
【０００９】
[0007]別の実施形態が、コンテキスト関連情報をユーザーに対して表示するための方法を提供する。方法が、ユーザーに関連するカレンダーで予定したイベントの時間を決定するためにユーザーアカウント情報にアクセスするステップと、予定したイベントの決定した時間の少なくとも一部に基づいて、リマインダー情報を自動的に生成するステップとを含む。方法が、自動的に生成されたリマインダー情報をディスプレイデバイスで受信するステップと、ユーザーに対して、自動的に生成されたリマインダー情報を双安定ディスプレイで目立たずに表示するステップとをさらに含む。
【００１０】
[0008]この概要は、簡単な形式で概念の選択を導入するために提供され、これらの概念について、以降の「発明を実施するための形態」でさらに説明する。この概要は、特許請求の範囲の主題の重要な特徴または本質的な特徴を識別するものではなく、特許請求の範囲の主題の範囲を限定するために使用されるものでもない。
【図面の簡単な説明】
【００１１】
【図１】[0009]特許請求の範囲の主題による、コンテキスト関連情報を受信し、ユーザーに対して目立たずに表示することを容易にするシステムの実例となる環境を示す概略図である。
【図２】[0010]特許請求の範囲の主題による、ディスプレイモジュールを有する時計とテザリング（ｔｅｔｈｅｒｅｄ）通信する、例示的コンピューティングデバイスを示す概略図である。
【図３】[0011]特許請求の範囲の主題による、ユーザーに対して情報を目立たずに表示することが可能なディスプレイモジュールを含む、別の例示的コンピューティングデバイスを示す概略図である。
【図４】[0012]特許請求の範囲の主題による、イベントの場所に到達するために追従するべきユーザーの方向を指し示す矢印を用いてユーザーの近辺の地図の形式で、来たる予定したイベント用のイベントリマインダーを表示するディスプレイデバイスを示す概略図である。
【図５】[0013]特許請求の範囲の主題による、アイコンの形式で、来たるイベント用のイベントリマインダーを表示するディスプレイデバイスを示す概略図である。
【図６】[0014]特許請求の範囲の主題による、仮想アシスタントサービスによって自動的に生成された例示的な遅れのメッセージを表示するタッチスクリーンディスプレイをもつディスプレイデバイスを示す概略図である。
【図７】[0015]特許請求の範囲の主題による、自動的に更新されたコンテキスト関連情報の一例として、コーヒーショップの位置を表示するディスプレイデバイスを示す概略図である。
【図８】[0016]特許請求の範囲の主題による、ディスプレイデバイスで実施される方法のプロセス流れ図を示す概略図である。
【図９】[0017]特許請求の範囲の主題による、仮想アシスタントサービスおよびディスプレイデバイスを備えるシステムによって実施される方法の別のプロセス流れ図を示す概略図である。
【図１０】[0018]前述の図面に示す特徴のいずれかの態様を実施するために使用され得る、実例となるコンピューティング機能性を示す概略図である。
【発明を実施するための形態】
【００１２】
[0019]特許請求の範囲の主題について図面を参照して説明し、図面では全体を通して同様の参照番号が同様の要素を参照するために使用される。以下の説明では、解説する目的で、多くの特定の詳細について、本主題の技術革新の徹底的な理解を提供するために明らかにする。ただし、特許請求の範囲の主題は、これらの特定の詳細なしに実践され得ることが明白である。他の実例では、よく知られた構造およびデバイスについて、本主題の技術革新の説明を容易にするためにブロック図の形式で示す。
【００１３】
[0020]本明細書で利用される用語「コンポーネント」、「システム」、「クライアント」などは、コンピューター関連エンティティである、ハードウェア、（例えば、実行中の）ソフトウェア、および／もしくはファームウェア、またはその組合せのどれかを指すものである。例えば、コンポーネントは、プロセッサーで作動中のプロセス、オブジェクト、実行可能ファイル、プログラム、関数、ライブラリ、サブルーチン、および／またはコンピューターもしくはソフトウェアとハードウェアの組合せとすることができる。
【００１４】
[0021]実例として、サーバーで作動するアプリケーションとサーバーの両方を、コンポーネントとすることができる。１つまたは複数のコンポーネントが、プロセス内に存在することができ、コンポーネントが、１つのコンピューターにローカライズされ、および／または、２つまたはそれより多くのコンピューター間で分配され得る。用語「プロセッサー」は、一般に、コンピューターシステムの処理ユニットなどのハードウェアコンポーネントを指すと理解される。
【００１５】
[0022]さらに、特許請求の範囲の主題は、開示された主題を実施するようにコンピューターを制御するために、ソフトウェア、ファームウェア、ハードウェアもしくはその任意の組合せを製作する、標準のプログラミングもしくは設計技術を使用して、方法、装置、または製造品として実施され得る。本明細書で使用される用語「製造品」は、任意のコンピューター可読デバイスまたは媒体からアクセス可能なコンピュータープログラムを包含するものである。
【００１６】
[0023]コンピューター可読記憶媒体には、記憶デバイス（例えば取り分け、ハードディスク、フロッピー（登録商標）ディスク、および磁気ストリップ）、光ディスク（例えば、取り分け、コンパクトディスク（ＣＤ）、およびデジタル・バーサタイル・ディスク（ＤＶＤ））、スマートカード、ならびにフラッシュメモリーデバイス（例えば、取り分け、カード、スティックおよびキードライブ）が含まれる。対照的に、コンピューター可読媒体（すなわち記憶媒体でないもの）は、通信信号用の伝送媒体などの通信媒体を付加的に含むことができる。
【００１７】
[0024]特許請求の範囲の主題の範囲または趣旨から逸脱することなくこの構成に対して多くの改変がなされ得ることが、当然当業者には理解されよう。
[0025]例示的な一実施形態が、自動的に更新されたコンテキスト関連（ＡＵＣＲ）情報（本明細書ではコンテキスト関連情報または自動的に生成されたリマインダー情報とも呼ばれる）を、ユーザーに対して、１日のうち適切な時間に目立たずに表示することを容易にする、仮想アシスタントサービスとディスプレイデバイスとを備えるシステムを提供する。ＡＵＣＲ情報は、少なくとも一部ユーザーに関連する情報を含む。例えば、ＡＵＣＲ情報が、会議場所からのユーザーの距離を補償するリードタイムが提供される会議リマインダーを含むことができる。ＡＵＣＲ情報のいくつかの他の例には、ユーザーが起きたときに表示される天気予報、通常ユーザーの仕事の行き帰りのときに表示される交通情報、および、ユーザーがそのロケール（ｌｏｃａｌｅ）で一方向にナビゲートしているときに表示されるロケールの地図が含まれる（ＡＵＣＲ情報の追加の例については、以降でより詳細に説明する）。したがって、ユーザーが進行中の活動に著しい中断なしに、タイムリーに置かれたコンテキストに関連する情報をユーザーは知らされ得る。
【００１８】
[0026]コンテキスト関連情報は、ａ）ユーザーの一時的なコンテキスト（例えば、時刻、予定したイベントに関係する時間、および／または予測可能なイベントに関係する時間、ｂ）ユーザーの空間的なコンテキスト（例えば、絶対位置、および／または別の位置に関係する位置）、ｃ）現在のユーザー活動またはユーザー活動の履歴、および／または、ｄ）ユーザー環境の状態（例えば、天気、交通など）、に関する情報を含むことができる。表示されるコンテキスト関連情報は、ユーザーに対してローカルなプロセッサー（例えば、ユーザーに関連するモバイルデバイス中のプロセッサー）で生成されてよく、または、ユーザーから遠隔で生成されユーザーに対してローカルなディスプレイを有するデバイスで受信され得る。したがって、１日を通して、ユーザーに近接したどのデバイスを介しても、ユーザーはＡＵＣＲ情報を受信することができる。
【００１９】
[0027]ユーザーに対して、目立たずに表示する情報は、ポケットもしくはハンドバッグからモバイルデバイスを引き出す、または先立ってもしくは可聴アラートに反応して音量設定を手動で調節するなどの、いずれかの社会的に面倒な行動を要求することなく、ユーザーが情報を迅速に容易に把握することを容易にする方式および／または位置で表示される。したがって、目立たずに表示される情報は、注意喚起を比較的少なくして、ユーザーの注意を取りあういずれかの他の活動から離れて注意を中断するまたはそらすことがあまりなく、表示された情報をユーザーが流れるように見ることを容易にする。
【００２０】
[0028]セクションＡでは、ディスプレイデバイスで仮想アシスタントサービスからＡＵＣＲ情報を受信するための機能性を提供するために使用の実例となる環境について説明する。セクションＢでは、仮想アシスタントサービスおよびディスプレイデバイスのオペレーションを説明する実例となる方法について説明する。セクションＣでは、セクションＡおよびＢで説明するディスプレイデバイスおよび仮想アシスタントサービスの種々の態様を実施するために使用され得る実例となるコンピューティング機能性を説明する。
Ａ．使用の実例となる環境
[0029]図１は、コンテキスト関連情報を受信し、ユーザーに対して目立たずに表示することを容易にするシステムの実例となる環境１００を示す概略図である。例えば、図１に、１つまたは複数のコンピューティングデバイス１０４に関連する、実例となるユーザー１０２を示す。１つまたは複数のコンピューティングデバイスが、ハンドヘルドまたは着用可能モバイルデバイス、ラップトップ、デスクトップ、タブレットなどを含むことができる。一定の事例では、この説明は、コンピューティングデバイス１０４が、一定の処理機能を実施することを述べる。この記述は、広く解釈されるべきである。いくつかの事例では、コンピューティングデバイス１０４が、この機能を実行する論理を提供することによって機能を実施することができる。別法として、または加えて、コンピューティングデバイス１０４が、コンピューティングデバイス１０４に代わって機能を実施する、リモートエンティティと対話することによって機能を実施することができる。
【００２１】
[0030]上記の概観を前提として、ここで、説明を、図１に示す個々の特徴のより詳細な説明に進める。コンピューティングデバイス１０４を始めとして、これらの装置は、任意の方式で実施されてよく、任意の機能または機能の組合せを実施することができる。例えば、コンピューティングデバイス１０４が、（スマートフォンなどの）いずれかのタイプのモバイル電話デバイス、全地球測位システム（ＧＰＳ）デバイスなどの専用デバイス、ブックリーダー、パーソナルデジタルアシスタント（ＰＤＡ）、ラップトップ、タブレット、ネットブック、ゲームデバイス、ポータブルメディアシステム、インターフェースモジュール、デスクトップパーソナルコンピューター（ＰＣ）などに対応することができる。物理的位置などのユーザーデータを収集する場合、ユーザーの同意を得ることが望ましいとされ得ることに留意されたい。図２を参照してより詳細に説明すると、コンピューティングデバイス１０４が、車両のヘッドアップディスプレイ（ＨＵＤ）などのディスプレイモジュールを有するディスプレイデバイス、ディスプレイモジュールを有する、時計、眼鏡、ブレスレット、指輪もしくは任意の他のタイプの宝飾品または着用可能物品などに、ワイヤレスで（例えばＢｌｕｅｔｏｏｔｈチャネルを介して）テザリングすることができる。コンピューティングデバイス１０４は、タッチスクリーンデバイスまたはカメラインターフェースからのジェスチャーを介した入力、音声入力などの広範囲の入力をユーザーから受信するために、採用され得る。
【００２２】
[0031]環境１００は、コンピューティングデバイス１０４が任意のリモートエンティティ（「リモートエンティティ」はユーザー１０２に対して遠隔にあるエンティティを意味する）と対話することを可能にするための通信コンジット１１４も含む。例えば、通信コンジット１１４は、ユーザー１０２が１つまたは複数のコンピューティングデバイス１０４を使用し、別の１つまたは複数のコンピューティングデバイスを使用中の別のユーザーと対話することを可能にする。加えて、通信コンジット１１４は、ユーザー１０２が任意のリモートデバイスと対話することを可能にすることができる。一般的に言えば、通信コンジット１１４が、ローカルエリアネットワーク、ワイドエリアネットワーク（例えばインターネット）またはその任意の組合せを表すことができる。通信コンジット１１４は、任意のプロトコルまたはプロトコルの組合せによって管理され得る。
【００２３】
[0032]より具体的には、通信コンジット１１４が、その一部分としてワイヤレス通信インフラストラクチャー１１６を含むことができる。ワイヤレス通信インフラストラクチャー１１６は、モバイルデバイス１０４がワイヤレス通信を介してリモートエンティティと通信することを可能にする機能性を表す。ワイヤレス通信インフラストラクチャー１１６は、セルタワー、ベースステーション、中央切替えステーション、衛星機能性、短距離ワイヤレスネットワークなどのいずれかを包含することができる。通信コンジット１１４は、ハードワイヤードリンク、ルーター、ゲートウェイ機能性、ネームサーバーなども含むことができる。
【００２４】
[0033]環境１００は、まとめてクラウドと呼ばれ得る１つまたは複数の遠隔処理システム１１８も含む。遠隔処理システム１１８は、ユーザーにサービスを提供する。一事例では、遠隔処理システム１１８のそれぞれが、１つまたは複数のサーバーおよび関連するデータストアを使用して実施され得る。実例として、図１に、遠隔処理システム１１８が、１つまたは複数のエンタープライズサービス１２０および関連するシステムストア１２２を含むことができることを示す。遠隔処理システム１１８で利用され得るエンタープライズサービス１２０には、ワシントン州レドモンドのＭｉｃｒｏｓｏｆｔ  Ｃｏｒｐｏｒａｔｉｏｎから入手可能である、ＭＩＣＲＯＳＯＦＴ  ＯＵＴＬＯＯＫ、ＭＩＣＲＯＳＯＦＴ  ＯＦＦＩＣＥ  ＲＯＵＮＤＴＡＢＬＥおよびＭＩＣＲＯＳＯＦＴ  ＯＦＦＩＣＥ  ３６５が含まれるが、これに限定しない。関連するシステムストア１２２が、種々のユーザーアカウントに関連し、コンピューティングデバイス１０４からアクセス可能な基本的なエンタープライズデータを含むことができる。データは、スケジュール情報、連絡先、所定の仕事場所、現在の位置、組織の地位などのユーザー１０２についての情報、および他の関連するユーザーについての同様の情報を含むことができる。遠隔処理システム１１８は、システムストア１２２とも関連する仮想アシスタントサービス１２４も含むことができる。一実施形態では、例えば少なくともいくつかのユーザーアカウントデータを含むシステムストア１２２中に記憶された少なくともいくつかのデータが、１つまたは複数のコンピューティングデバイス１０４などのクライアントデバイスで記憶される。
【００２５】
[0034]一実施形態では、仮想アシスタントサービス１４２が、エンタープライズサービスであり、または、他のエンタープライズサービス１２０、システムストア１２２、および／または動作中の１つまたは複数のコンピューティングデバイス１０４と通信することが可能である。仮想アシスタントサービス１４２は、通信コンジット１１４を介してインターネットで利用可能な他のサービスおよびデータストアと通信することも可能である。したがって、仮想アシスタントサービス１２４が、例えばシステムストア１２２から、コンピューティングデバイス１０４および／または他のソースから、ユーザー１０２に関連する情報にアクセスすることができ、ユーザー１０２の現在のコンテキストに関連する情報の項目を自動的に推測することができる。仮想アシスタントサービス１２４は、通信コンジット１１４を介してユーザー１０２に情報のＡＵＣＲの部分を伝達することもできる。専用のシンクライアントは、仮想アシスタントサービス１２４からＡＵＣＲ情報を受信しそれを表示するために、コンピューティングデバイス１０４のそれぞれで実施され得る。さらに、一実施形態では、仮想アシスタントサービス１２４の少なくとも一部が、（遠隔処理システム１１８の一部であるサーバーで実行される代わりに）コンピューティングデバイス１０４の１つで実行され、他のサービスおよびデータストアから通信コンジット１１４を介して、情報を取得するために通信コンジット１１４を使用することができる。したがって、ＡＵＣＲ情報がデータから導き出され、そのデータは、（例えば、仮想アシスタントサービス１２４と通信するセンサーによって）遠隔で、（例えば、コンピューティングデバイス１０４のセンサーによって）ローカルに、または遠隔でローカルという組合せで検知され得る。加えて、データが、（例えば、仮想アシスタントサービス１２４によって、または仮想アシスタントサービス１２４と通信する他のサービスによって）遠隔で、（例えば、コンピューティングデバイス１０４によって）ローカルに、または遠隔でローカルという組合せでＡＵＣＲ情報を作成するように処理され得る。次の説明で、仮想アシスタントサービス１２４が、それを実施することができるような実例となる機能が、コンピューティングデバイス１０４のオペレーションに密接な関係があるということを明らかにする。
【００２６】
[0035]図２は、ディスプレイモジュール２０４を有する例示的なディスプレイデバイス２０２とテザリング通信する例示的なコンピューティングデバイス１０４を示す概略図である。（示すコンピューティングデバイスは、モバイルデバイスであるが、このタイプのデバイスは、単に任意のコンピューティングデバイスを表す。さらに、ディスプレイデバイス２０２として時計の表現は、任意のディスプレイデバイス、すなわちユーザー１０２に対して情報を目立たずに表示することができるディスプレイモジュールを有するデバイスを表す。例えば、ディスプレイデバイス２０２は、代わりに眼鏡、指輪などの別の着用可能物品とすることができる。）ディスプレイモジュール２０４は、情報を出力するだけでなく、物理ボタンおよび／またはソフトボタン（例えば、タッチスクリーンなどの、ユーザーインターフェースに表示されるグラフィカルボタン）を介してユーザー１０２から入力を受信するようにも構成され得る。さらにディスプレイデバイス２０２は、ディスプレイモジュール２０４で、容易に監視可能なアイコンを介して情報を表示するように構成され得る。目立たずにユーザーの注意を引くために、ディスプレイモジュール２０４が新たな情報で更新されるとき、ディスプレイデバイス２０２は、スモールライトをフラッシュさせる、および／または穏やかにバイブレーションさせるように構成され得る。
【００２７】
[0036]一実施形態では、ディスプレイモジュール２０４が、双安定ディスプレイである。双安定ディスプレイが、従来のディスプレイより、よく電力を保存することができることが多い。別の実施形態では、ディスプレイモジュール２０４が、双安定ディスプレイモード（例えば、ディスプレイデバイス２０２が、非アクティブモードまたはロックモードである場合）と、従来のディスプレイモード（例えば、ディスプレイデバイス２０２が、アクティブモードまたはアンロックモードである場合）との間で変化することが可能である。さらに別の実施形態では、ディスプレイモジュール２０４の一部のみが、双安定プロパティーを有し、双安定部が、ＡＵＣＲ情報を表示するために使用される。双安定ディスプレイは、急速に変化するコンテンツ（例えばビデオ）とは対照的に、比較的静的なコンテンツ（例えばテキストおよび／または画像）を表示することに（限定されないが）特によく適している。したがって、双安定ディスプレイ（または、ディスプレイモジュール２０４の双安定部）は、情報が比較的静的なタイプ（例えば画像およびテキスト）である場合のみ、ＡＵＣＲ情報を表示するために、使用され得る（または、双安定モードに入ることができる）。
【００２８】
[0037]一実施形態では、コンピューティングデバイス１０４それ自体が、ユーザー１０２に対して情報を目立たずに表示することが可能な、ディスプレイモジュール２０４を含むディスプレイデバイスである。したがって、コンピューティングデバイス１０４が、着用可能物品（例えば、時計または眼鏡）、ＨＵＤなどとすることができるが、別の中間のコンピューティングデバイスの支援なしに、通信コンジット１１４と直接インターフェース接続することも可能である。
【００２９】
[0038]図３は、ユーザー１０２に対して情報を目立たずに表示することが可能なディスプレイモジュール３０２を含む、別の例示的コンピューティングデバイス１０４を示す概略図である。（示すコンピューティングデバイスは、ラップトップであるが、このタイプのデバイスは、単に任意のコンピューティングデバイスを表す。）１つのシナリオでは、ユーザー１０２が、ＡＵＣＲ情報が仮想アシスタントサービス１２４から受信するとき、コンピューティングデバイス１０４を使用中である。ディスプレイモジュール３０２が、図示のように、ディスプレイの隅部３０４にＡＵＣＲ情報を表示するように構成され、それによってユーザー１０２にＡＵＣＲ情報を非侵入的に目立たない方式で提供することができる。別法として、ディスプレイモジュール３０２が、双安定である１つまたは複数のディスプレイ部を含むことができ、１つまたは複数の双安定ディスプレイ部でＡＵＣＲ情報を表示することができる。例えば、双安定ディスプレイ部が、従来型ディスプレイ部より小型で、またそれと並んで位置され得る。加えて、コンピューティングデバイス１０４が、ラップトップ、フリップフォンなどである場合、二次ディスプレイモジュールは、コンピューティングデバイス１０４のカバー部の背後に位置されて、一次ディスプレイモジュール３０２のそれに対向する方向に面することができる。したがって、コンピューティングデバイス１０４は、カバーが閉まっているときに、二次ディスプレイモジュールにＡＵＣＲ情報を表示するように構成され得る。二次ディスプレイモジュールは、電力を保存するために双安定ディスプレイとすることができる。
【００３０】
[0039]上記で述べたように、仮想アシスタントサービス１２４は、コンピューティングデバイス１０４および通信コンジット１１４を介してユーザー１０２にとって入手可能なサービスであり、ユーザーにＡＵＣＲ情報を提供する。ＡＵＣＲ情報が、生成されるとすぐに１つまたは複数のコンピューティングデバイス１０４にプッシュされ得る。別法として、ＡＵＣＲ情報が、（例えば、システムストア１２２に）記憶され、１つまたは複数のコンピューティングデバイス１０４によって定期的またはユーザーのリクエストに応答してプルされる。プッシュされようとプルされようと、ディスプレイデバイスが、仮想アシスタントサービス１２４からＡＵＣＲ情報を受信するように言われ得る。仮想アシスタントサービス１２４によって生成されるＡＵＣＲ情報の例については、図４〜図７を参照して以降で説明する。時計が、ＡＵＣＲ情報を表示するデバイスとして示されるが、時計が、単に、情報を表示することが可能な任意のコンピューティングデバイスの代表的なものであるということが理解されたい。さらに、仮想アシスタントサービス１２４は、時計だけでなく、ユーザーに関連する複数のデバイスにＡＵＣＲ情報を伝達することができる。
【００３１】
[0040]図４は、イベントの位置に到達するために追従するべきユーザー１０２の方向を指し示す矢印を用いてユーザーの近辺の地図の形式で、来たる予定したイベント用のイベントリマインダーを表示するディスプレイデバイス２０２を示す概略図である。地図上に重ね合わせた（ｓｕｐｅｒｉｍｐｏｓｅｄ）矢印が、目立たないグランサブル（ｇｌａｎｃｅａｂｌｅ）なイベントのリマインダーとして働く。他の目立たないグランサブルなリマインダーについても、本明細書で検討し説明する。一実施形態では、仮想アシスタントサービス１２４が、会議時間と位置、入手可能な場合は、（例えば、ユーザーのモバイルデバイスのＧＰＳモジュールを介して、および／またはユーザーのスケジュールから入手可能な）ユーザー１０２の現在位置を含む、ユーザー１０２に関連する（例えばシステムストア１２２からアクセス可能な）スケジューリング情報を検査することによって、表示用のイベントリマインダーをいつ送るかを決定する。
【００３２】
[0041]例えば、移動時間の推定に基づいて、仮想アシスタントサービス１２４が、ユーザー１０２にリマインダーを提供するのに伴うリマインダーリードタイムを決定する。移動時間の推定は、例えば、仮想アシスタントサービス１２４にアクセス可能なナビゲーションサービスを使用して決定され得る。仮想アシスタントサービス１２４は、移動時間の推定を決定するとき、天候および／または交通状況も考慮に入れることができる。例えば、天候が外を歩くのに適さないと予測される場合、仮想アシスタントサービス１２４は、移動時間の推定を決定するのにバスまたはシャトルのスケジュールにアクセスし考慮に入れることができる。天候およびシャトルのスケジュール情報は、例えば、こうした情報が入手可能であると知られたウェブアドレスから、アクセス可能とすることができる。さらに、交通状況に応じて、リマインダーリードタイムが増加または減少され得る。
【００３３】
[0042]一実施形態では、仮想アシスタントサービス１２４は、天候、移動距離、および／またはユーザー優先に因り、シャトルが必要となる見込みであると決定することができ、ディスプレイデバイス２０２に適切なシャトルの乗車時刻および位置情報を表示させることができる。例えば、仮想アシスタントサービス１２４は、ユーザーが定刻に目的地に到着するために、および／または（そのルートは通常なら歩くはずのところ）悪天候を避けるために、シャトルが必要であると決定することができ、したがって自動的にシャトルをリクエストすることができる。したがって、仮想アシスタントサービス１２４が、シャトル番号、乗車位置、および／または推定した到着時刻などのシャトル情報を含むＡＵＣＲ情報にアクセスし、ユーザー１０２に提供することができる。シャトルリクエストが可能である場合、仮想アシスタントサービス１２４が、シャトルを自動的にリクエストすることもできる。例示的な一実施形態では、移動時間が来たるイベントの開始時間前の残りの時間より所定の閾値の分大きい場合、仮想アシスタントサービス１２４は、シャトルが必要となる見込みであると決定する。加えて、移動距離が歩行で十分な短さであるとき、仮想アシスタントサービス１２４は、天気予報にアクセスすることができ、天候が悪いまたは悪くなると予測される場合、仮想アシスタントサービス１２４は、シャトルを提案または自動的にリクエストし、適切なシャトル情報をユーザー１０２に対して表示させることができる。
【００３４】
[0043]図４の地図および矢印に加えて、ディスプレイモジュール２０４に表示されるＡＵＣＲ情報が、予定した時間、部屋番号、および／またはイベントの題目などの基本的なイベント情報を含むことができる。イベントの最初のスケジューリングからイベント情報の変更（例えば時間の変更および／または部屋の変更）が、発生した場合、仮想アシスタントサービス１２４が、更新された情報をユーザーに注目させるように強調表示するフォーマットでＡＵＣＲ情報を送ることができる。
【００３５】
[0044]加えて、一実施形態では、仮想アシスタントサービス１２４が、ユーザーが目的地に近づくとき、地図中で次第にズームして定期的に送り表示することを容易にするために、ユーザーのモバイルデバイスから継続的に自動的にユーザーの位置情報を受信する。ユーザー１０２が、イベントが開催される建物に入るとき、次いでＡＵＣＲ情報は、イベントが開催される部屋への道順と共に建物内部の地図を含むディスプレイデバイスで更新され得る。建物の地図は、エレベーターの列、階段、および／または休憩室などの建物中の他の種々の場所の位置も強調表示することができる。仮想アシスタントサービス１２４は、イベント参加者のリストおよび／または１つもしくは複数の関連の書類にもアクセスすることができ、ユーザーが、イベントに到着したまたは到着しそうなことを検出したとき、参加者のリストおよび／または書類を表示するためにディスプレイデバイス２０２に送ることができる。
【００３６】
[0045]別法として、イベントの最初のリマインダーが、ユーザーが追従する運転ルートまたは歩行ルート全体を含むことができる。例えば、移動距離が所定の閾値より短い場合、ルート全体が一時に表示され得る。さらに、ＡＵＣＲ情報が表示されるデバイスは、ユーザーがズームしてまたは他の方式で操作して表示ルートのビューにすることができるように装備され得る。さらに、一旦ユーザーが建物に到達すれば、仮想アシスタントサービス１２４が、建物マップ、イベント参加者のリスト、および／またはイベントに関係する文書を含む表示情報を更新することができる。
【００３７】
[0046]一実施形態では、仮想アシスタントサービス１２４が、イベントリマインダー用の緊急度レベルを決定することができ、容易に監視可能なアイコンおよび／またはカラースキーム（例えば、赤、黄色、緑）を用いて緊急度レベルを指示することができる。仮想アシスタントサービス１２４は、地図が最初のイベントリマインダーとして既に表示され、ユーザーがそれを見逃すか無視したとみられる後、アイコンおよび／またはカラー指示を表示させることができる。仮想アシスタントサービス１２４は、例えばユーザーの位置を追跡することによって、ユーザーがリマインダーを見逃したらしいと判断することができる。例えば、ユーザーの位置が、最初のリマインダーの後、所定の時間のウィンドウ内で十分な変化がなかった場合、仮想アシスタントサービス１２４は、ユーザーがリマインダーを見逃したと判断することができる。
【００３８】
[0047]図５は、アイコンの形式で、来たるイベント用のイベントリマインダーを表示する、ディスプレイデバイス２０２を示す概略図である。上記で示したように、地図の形式で最初のイベントリマインダーが表示された後、アイコンが表示され得る。別法として、仮想アシスタントサービス１２４が、単独のまたは最初のイベントリマインダーとしてアイコンを表示させることができる。アイコンは、例えば、（図に示すように）近くに感嘆符を伴う時計を見る人の画像とすることができる。ただし、アイコンはこの形式に限定しない。例えば、アイコンは、例えば緊急度を伝える感嘆符だけ、またはカレンダーアイコンだけとすることができる。さらに、アイコンは緊急度を伝える異なる色を使用して表示され得る。例えば、イベント開始時刻前の時間のウィンドウが、次第により小さくなるにつれて、アイコンが最初に第１の色（例えば、グレーまたは緑）を使用して表示されてよく、続いて第２の色（例えば、黒または黄）、最後に第３の色（例えば、赤）を使用して表示されてよい。
【００３９】
[0048]一実施形態では、仮想アシスタントサービス１２４が、少なくとも部分的に既定されたメッセージの送信を承認するために、少なくとも部分的に既定されたメッセージおよびプロンプトを含むＡＵＣＲ情報をユーザーに送る。例えば、仮想アシスタントサービス１２４は、移動時間の推定、現在の時刻およびイベント開始時刻に基づいて、ユーザーがイベントに遅れているかどうか判断することができる。ユーザーが遅れていると判断された場合、仮想アシスタントサービス１２４が、（例えば、現在の移動時間の推定と、現在の時刻とイベント開始時刻との間の残りの時間のウィンドウとの差を見つけることによって）ユーザーが遅れ時間を付加的に推定することができ、遅れ時間を用いて遅れのメッセージを自動的に構成することができる。仮想アシスタントサービス１２４は、ユーザーが、迅速に承認し、仮想アシスタントサービス１２４に知られた１人または複数のイベント参加者にメッセージを送ることができるように、プロンプトを用いて遅れのメッセージをユーザーに対して表示させる。
【００４０】
[0049]図６は、仮想アシスタントサービス１２４によって自動的に生成された例示的な遅れのメッセージを表示するタッチスクリーンディスプレイをもつディスプレイデバイス２０２を示す概略図である。遅れのメッセージは、ユーザーがメッセージを送るためのプロンプトを含み、メッセージを送る前に遅れ時間の手動による変更を容易にするために任意選択で「＋」と「−」アイコンを含む。
【００４１】
[0050]会議のリマインダーに加えて、ＡＵＣＲ情報が、ユーザーの慣例的活動および／または関心から推測される情報を含むことができる。図７は、このタイプのＡＵＣＲ情報の例としてコーヒーショップの位置を表示するディスプレイデバイス２０２を示す概略図である。例えば、仮想アシスタントサービス１２４は、ユーザーの位置の何日かの経過をログにとることができ、機械学習技術を使用して、挙動の一定のパターンを観察することができる。加えてまたは別法として、仮想アシスタントサービス１２４が、ユーザープロファイルにアクセスすることによってユーザー優先を学習することができる。ユーザーは、例えば、毎日一定の時刻に定期的にコーヒーブレークを取るかもしれない。仮想アシスタントサービス１２４は、その時刻のユーザーの位置がコーヒーショップの位置に対応すると示す地図へのアクセスの利用をすることができる。結果的に、ユーザーが新たなロケールにいるとき、図７に示すように、仮想アシスタントサービス１２４が、近くのコーヒーショップの位置を自動的に取得することができ、ユーザーに対してこの情報を表示させることができる。ただし、ユーザーがいつものコーヒーブレークと重なる予定したイベントを有する場合、仮想アシスタントサービス１２４は、コーヒーショップ位置情報より予定したイベントリマインダーを送ることを優先することができる。
【００４２】
[0051]コーヒーブレークは、推測されるイベントのうちの一例である。推測されるイベントの別の例は、昼休みである。例えば、ユーザーが通常昼食に行くとき、仮想アシスタントサービス１２４は、ディスプレイデバイス２０２に昼食のメニューおよび／または昼食に並ぶ列を示すカメラフィードを表示させる。同様に、ユーザーが通常職場に行くまたは離れるとき、仮想アシスタントサービス１２４は、ディスプレイデバイス２０２に移動するルート上の１つまたは複数のポイントの交通状況を表示させることができる。一実施形態では、仮想アシスタントサービス１２４が、ディスプレイデバイス２０２に、ユーザーが起きるときに天気予報を表示させ、および／または休憩中に、スポーツウェブサイトなどのユーザーが追跡するウェブサイトを表示させることができる。
【００４３】
[0052]前述のタイプのＡＵＣＲ情報を提供することに加えて、会議の流れおよび有効性を改善する機能も、仮想アシスタントサービス１２４、および／または遠隔処理システム１１８によってサポートされた他のサービス（本明細書では「会議サービス」と呼ぶ）によって実施され得る。例えば、会議サービスは、会議の出席者または参加者のリスト、複数の会議出席者のそれぞれに関係する予備情報（例えば、会社での地位および／またはチームもしくはグループの交友関係）、複数の会議出席者のそれぞれのステータス（例えば遅刻、出席、遠隔での参加など）などの、会議に関係する情報をディスプレイデバイス２０２に提供することができる。出席者のステータスは、出席者から受信するか、交通、天候、および／または他の外部の状況から推測され得る。さらに、出席者が突然会議を離れ、彼／彼女の電話を残している場合、出席者のステータスが、最も近くの休憩所の位置に示され得る。
【００４４】
[0053]会議サービスは、会議タスクを自動的に追跡することもでき（例えば、会議の前後に顕著な行動の項目および関連する情報を表示することを含むことができる）、特定のタイプの予約用のテンプレート、および／または電子メールもしくはテキストメッセージ応答、（例えば、連絡先のそれぞれとの通信の時間および／または位置をリストにするログに基づいて）ランクづけ連絡先を提供することができる。一実施形態では、会議サービスが、会議（または会議の一部）用に割り当てられた時間を個々の参加者または議題項目に自動的に分配し、後の参加者または議題項目に移るためにリマインダーを提供する。したがって、ＡＵＣＲ情報が、プロンプトのセットを含み、そのセットの各プロンプトが、時間超過を減らすために会議中の事前選択した時間で提供され得る。
【００４５】
[0054]一実施形態では、会議サービスが、一般にコラボレーションエクスペリエンスを促進し改善するオペレーションを付加的に容易にする。こうしたオペレーションは、比較的長い会議および／または出席者数の多い会議にとって特に助けとなり得る。会議サービスによって実施される例示的なコラボレーション改善オペレーションは、出席者が会議中に互いにメッセージを送ることを可能にすること、以前に反復した会議および対応する文書からワークスペースにノートを示すことと、出席者がページ／スライドでフィードバックを受信するためのオプションを用いて文書を共有することを可能にすることと、出席者がリアルタイムでノートを協働的に共有および編集を可能にすることと、出席者が文書またはノート中のオブジェクトを強調表示して注釈をつけることを可能にすることと、ノート／質問が遠隔の出席者に対して書かれるときそれを表示することと、プレゼンターを邪魔することなく遠隔の出席者からの質問を受信し会話を容易にすることと、ノートと同期させてスライドおよび／または会議イベントを再生することと、ＭＩＣＲＯＳＯＦＴ  ＯＦＦＩＣＥ３６５などのコラボラティブ・ワークスペース・ソフトウェアソリューションを用いて文書およびコラボラティブ・ワークスペースを統合することと、ＭＩＣＲＯＳＯＦＴ  ＯＵＴＬＯＯＫなどのスケジューリングソリューションにやるべきことのリストをインポートすることと、焦点のトピックに参加するように非出席者を招待することと、例えば、ページ／スライドの聴衆の理解を測るためまたは他の理由で、記名または無記名のカスタムの投票の作成を可能にすること、および投票結果のログをとることとを含む。一実施形態では、会議サービスは、起こっていること、またはこれまで広められた情報についてアイデアを得るために、会議情報を遠隔の人（例えば、会議に来る途中の出席者）に送ることを容易にする。これは、遠隔の人が会議の流れを邪魔することなく迅速にスピードを上げることを可能にする。受信者が２ウェイ通信可能なディスプレイデバイスを有する場合、会議サービスは、遠隔の人がフィードバックまたは返答することも容易にすることができる。
【００４６】
[0055]会議サービスによって実施される例示的なコラボレーション改善オペレーションは、出席者がリアルタイムのまたはほぼリアルタイムのフィードバックをプレゼンターに提供することを可能にすることも含み、このフィードバックには、例えば、出席者が、プレゼンターに対する質問を提案する、提案された質問について投票をするかさもなければその承認を示す、プレゼンテーションスライドをスキップする投票をする、プレゼンテーションスライドに関するより多くの情報の必要性を示す、また、関心がある、退屈である、ストレスがかかる、眠いなどの雰囲気または感情を示すことを可能にすることが含まれ得る。例示的な一実施形態では、示された雰囲気が、会議サービスによって１人または複数の会議出席者から受信され得る。会議サービスは、１つまたは複数の雰囲気の指示を、プレゼンターを含む全ての出席者に可視のディスプレイに送ることができ、または別法として、１つもしくは複数の雰囲気の指示が、プレゼンターのみに送られ得る。
【００４７】
[0056]加えて、会議の後、ユーザーが受付場所へ歩く場合、会議サービスが、シャトル予約インターフェースを示すことができ、インターフェースが、受付係と話すために、ユーザーに対してキャンセルボタンなどを押すなどように促すことができる。
Ｂ．プロセスの実例
[0057]図８は、特許請求の範囲の主題による、ディスプレイデバイスで実施される方法のプロセス流れ図８００を示す概略図である。方法が、ブロック８１０で始まり、ここで、ディスプレイデバイスが自動的に更新されたコンテキスト関連（ＡＵＣＲ）情報を受信する。ＡＵＣＲ情報が、少なくとも一部ユーザーに関連する情報を含む。次いで、ブロック８２０で、ディスプレイデバイスが、ユーザーに対してＡＵＣＲ情報を表示する。上記の図２の説明で述べたように、ディスプレイデバイスが、ユーザーに対して目立たずに情報を表示することが可能な、ディスプレイモジュール（図２で示した時計、ＨＵＤ、眼鏡、ブレスレット、指輪、または任意の他のタイプの宝飾品もしくはディスプレイモジュールを有する着用可能な装置など）を有するデバイスである。加えて、ディスプレイデバイスのユーザーインターフェースおよび表示された情報のフォーマットが、表示された情報の目立たない監視を容易にするように、グランサブルまたは容易に監視可能である。ＡＵＣＲ情報は、図１の仮想アシスタントサービス１２４などのサービスによって、来たる予定のイベントの前に、適応的に設定可能な時間のウィンドウ内で自動的に生成され、ＡＵＣＲ情報は、来たるイベントのリマインダーとして働くことができる。ＡＵＣＲ情報は、仮想アシスタントサービスが以前に監視し学習したユーザーの活動が発生するとき、または発生を予期するときも自動的に生成され得る。この事例では、ＡＵＣＲ情報が、ユーザーが以前に監視された活動を遂行することができることを容易にする情報を含むことができる。したがって、ユーザーが進行中の活動の著しい中断なしに、タイムリーに置かれたコンテキストに関連する情報をユーザーは知らされ得る。
【００４８】
[0058]図９は、特許請求の範囲の主題による、仮想アシスタントサービス（例えば仮想アシスタントサービス１２４）およびディスプレイデバイス（例えば、ディスプレイデバイス２０２）を備えるシステムによって実施される方法の別のプロセス流れ図９００を示す概略図である。方法は、ブロック９１０で始まり、ここで、仮想アシスタントサービスが、ユーザーに関連するカレンダーの予定したイベントの時間を決定するために、ユーザーアカウント情報にアクセスする。次に、ブロック９２０で、仮想アシスタントサービスが、予定したイベントの決定した時間の少なくとも一部に基づいて、リマインダー情報を自動的に生成する。ブロック９３０で、ディスプレイデバイスが、自動的に生成されたリマインダー情報を受信し、ブロック９４０で、ディスプレイデバイスが、双安定ディスプレイで、ユーザーに対して、自動的に生成されたリマインダー情報を目立たずに表示する。
【００４９】
[0059]図８のプロセス流れ図８００および図９のプロセス流れ図９００は、例として提供され、限定するものではない。より具体的には、追加のブロックまたは流れ図のステージが、追加されてよく、および／または、少なくとも１つのブロックもしくはステージが、改変されもしくは省略されてよい。例えば、一実施形態では、ＡＵＣＲ情報の種々の項目が、ディスプレイデバイスによって生成され、受信されてよく、ディスプレイデバイスは、一連の指令を受信し、各指令が、表示されるＡＵＣＲ情報の項目のうち別個の１つを識別することができる。こうした一実施形態は、位置に到達することが必要なステップのシーケンスに関与するシナリオで有用となり得る。
Ｃ．代表的なコンピューティング機能性
[0060]図１０は、上記で説明した機能のいずれかの態様を実施するために使用され得る、実例となるコンピューティング機能性１０００を示す概略図である。例えば、コンピューティング機能性１０００が、コンピューティングデバイス１０４のいずれかの態様を実施するために使用され得る。加えて、図１０に示すコンピューティング機能性１０００のタイプは、遠隔処理システム１１８のいずれかの態様を実施するために使用され得る。一事例では、コンピューティング機能性１０００が、１つまたは複数の処理デバイスを含む、コンピューティングデバイスの任意のタイプに対応することができる。全ての事例で、コンピューティング機能性１０００は、１つまたは複数の物理的および有形の処理機構を表す。
【００５０】
[0061]コンピューティング機能性１０００が、ＲＡＭ１００２およびＲＯＭ１００４などの揮発性および不揮発性のメモリ、ならびに、１つまたは複数の処理デバイス１００６（例えば、１つもしくは複数のＣＰＵ、および／または１つもしくは複数のＧＰＵなど）を含むことができる。コンピューティング機能性１０００が、ハードディスクモジュール、光ディスクモジュールなどの種々のメディアデバイス１００８も含むことができる。処理デバイス１００６が、メモリ（例えば、ＲＡＭ１００２、ＲＯＭ１００４または他で）によって維持される指令を実行するとき、コンピューティング機能性１０００が、上記で識別された種々のオペレーションを実施することができる。
【００５１】
[0062]より概括的には、指令および他の情報が、限定はしないがスタティックメモリ記憶デバイス、磁気記憶デバイス、光記憶デバイスなどを含む任意のコンピューター可読媒体１０１０に記憶され得る。コンピューター可読媒体という用語は、複数の記憶デバイスも包含する。全ての事例で、コンピューター可読媒体１０１０は、物理的および有形のエンティティのいくつかの形式を表す。
【００５２】
[0063]コンピューティング機能性１０００は、種々の入力を（入力モジュール１０１４を介して）受信するため、種々の出力を（出力モジュールを介して）供給するための、入力／出力モジュール１０１２も含むことができる。１つの特定の出力機構は、プレゼンテーションモジュール１０１６および関連するグラフィカルユーザーインターフェース（ＧＵＩ）１０１８を含むことができる。コンピューティング機能性１０００は、１つまたは複数の通信コンジット１０２２を介して、他のデバイスとデータを交換するための１つまたは複数のネットワークインターフェース１０２０も含むことができる。１つまたは複数の通信バス１０２４は、上記で説明したコンポーネントを通信で共に結合させる。
【００５３】
[0064]通信コンジット１０２２は、任意の方式で、例えば、ローカルエリアネットワーク、ワイドエリアネットワーク（例えばインターネット）またはその組合せなどによって実施され得る。通信コンジット１０２２が、任意のプロトコルまたはプロトコルの組合せによって管理された、ハードワイヤードリンク、ワイヤレスリンク、ルーター、ゲートウェイ機能性、ネームサーバーなどのいずれかの組合せを含むことができる。
【００５４】
[0065]別法として、または加えて、セクションＡおよびＢで説明したいずれかの機能が、少なくとも一部１つまたは複数のハードウェア論理コンポーネントによって実施され得る。例えば、限定せずに、使用され得るハードウェア論理コンポーネントの実例となるタイプは、フィールドプログラマブルゲートアレイ（ＦＰＧＡ）、特定用途向け集積回路（ＡＳＩＣ）、特定用途向け標準品（ＡＳＳＰ）、ＳＯＣ（Ｓｙｓｔｅｍ−ｏｎ−ａ−ｃｈｉｐ  ｓｙｓｔｅｍｓ）、ＣＰＬＤ（Ｃｏｍｐｌｅｘ  Ｐｒｏｇｒａｍｍａｂｌｅ  Ｌｏｇｉｃ  Ｄｅｖｉｃｅｓ）などを含む。
【００５５】
[0066]加えて、本明細書で説明した機能性は、その機能性によって維持されるユーザーデータのプライバシーを保証するために種々の機構を使用することができる。例えば、機能性が、ユーザーが、機能性の規定に対して明示的にオプトインする（次いで、明示的にオプトアウトする）ことを可能にすることができる。機能性は、データサニタイジング機構、暗号化機構、パスワード保護機構などの、ユーザーデータのプライバシーを保証するのに適したセキュリティ機構も提供することができる。
【００５６】
[0067]さらに、説明は、実例となる挑戦または問題と言う点で種々の概念を説明してきたといえる。この説明の仕方は、他者が、本明細書で指定された方式でその挑戦または問題を理解および／または明瞭に表現したとの承認とみなされるものではない。
【００５７】
[0068]主題について、構造上の特徴および／または方法論的な作用に特有の文言で説明してきたが、付属の特許請求の範囲で定義された主題が、上記の特定の特徴または作用に必ずしも限定されないということが理解されるべきである。正しくは、上記で説明した特定の特徴および作用は、特許請求の範囲を実施する例示的な形式として開示される。
【図１】
2016511859.tif 000003
【図２】
2016511859.tif 000004
【図３】
2016511859.tif 000005
【図４】
2016511859.tif 000006
【図５】
2016511859.tif 000007
【図６】
2016511859.tif 000008
【図７】
2016511859.tif 000009
【図８】
2016511859.tif 000010
【図９】
2016511859.tif 000011
【図１０】
2016511859.tif 000012
【国際調査報告】
2016511859.tif 000013
2016511859.tif 000014